(57)【特許請求の範囲】
【請求項１】
低圧地中配電線路の幹線および分岐引込線の接続を地中埋設箱に収納して行う地中埋設形低圧分岐装置であって、
内部がＵ相、Ｖ相、Ｗ相およびＯ相の収容部に仕切られた箱状の本体部と、該本体部の開口部を上部から覆って閉塞する箱状の防水ドームを兼ねた蓋部とからなり、
上記各相の収容部に、上記幹線および上記分岐引込線を接続するための、当該各相に対応したブスバーがそれぞれ収容され、
上記本体部の底面には、上記幹線および上記分岐引込線を通すための貫通部が設けられ、
上記蓋部と上記本体部の開口部端とが当接する部分に防水用緩衝部材が設けられている
ことを特徴とする地中埋設形低圧分岐装置。
【請求項２】
上記本体部の底面に設けられた各貫通部に対応して、外部に突出しかつ先細形状の台形筒状突出部が、上記底面と一体的に形成されている
ことを特徴とする請求項１に記載の地中埋設形低圧分岐装置。
【請求項３】
請求項１に記載された地中埋設形低圧分岐装置が配置される地中埋設箱であって、
上記地中埋設形低圧分岐装置を支持する支持部材が側面上部に取り付けられている
ことを特徴とする地中埋設箱。
【発明の詳細な説明】
【技術分野】
【０００１】
この発明は、低圧地中線配電線路の幹線および分岐引込線の接続を行う地中埋設形低圧分岐装置およびそれが配置される地中埋設箱に関する。
【０００２】
詳しくは、この発明は、箱状の本体部および防水ドームを兼ねた箱状の蓋部からなっており、本体部に幹線および分岐引込線を接続するためのブスバーが収容されると共に、この本体部の底面に当該幹線および分岐引込線を通すための貫通部が設けられ、本体部の開口部端と接触する蓋部の部分に防水用緩衝部材が設けられた構成とすることによって、構成簡単で安価に製造でき、また接続工事、ヒューズの交換工事等を容易に行い得るようにした地中埋設形低圧分岐装置等に係るものである。
【背景技術】
【０００３】
従来から都市計画の一貫として配電線の地中化が進んでいる。特許文献１には、低圧地中配電線を各低圧負荷設備に分岐引込をするものであって、地中埋設箱としてのハンドホール部分に対応した地上部で低圧幹線の分岐および引込線の接続を行う低圧分岐装置が提案されている。
【０００４】
この低圧分岐装置は、開閉扉を有する低圧分岐箱内に、複数本の銅ブスバーおよび分岐端子によって構成される分岐接続部材、並びに保護装置としてのブレーカあるいはヒューズが組み込まれたものとなっている。この低圧分岐箱をハンドホールのコンクリート基礎にベース部材を介してボルトで固定した後に、地中配電線路から立ち上げた低圧幹線および引込線の接続が行われる。
【０００５】
この低圧分岐装置は、主に歩道上に設置されるため、安全上あるいは環境整備上の問題がある。そこで、例えば特許文献２には、ハンドホール内に配置して使用する地中埋設式低圧分岐装置が提案されている。この地中埋設式低圧分岐装置では、低圧地中配電線路の幹線および分岐引込線が、取付金具に、Ｕ相、Ｖ相、Ｗ相、Ｏ相の４相分が並列に装着支持され、上部より箱状の防水ドームを被せられ、冠水時に接続部に空気だまりを形成して浸水を防止している。
【０００６】
【特許文献１】特開２００１−２３８３４３号公報
【特許文献２】特開２０００−２９５７５４号公報
【発明の開示】
【発明が解決しようとする課題】
【０００７】
上述の特許文献２に記載される地中埋設式低圧分岐装置は、幹線および分岐引込線の接続部に防水ドームを被せた構成であって、防水ドームの防水効果と相俟って分岐端子の接続部の防水信頼性を高めるために、分岐端子を保護する接続カバー、接続部への浸水を防止する水密バンド、接続部を浸水から保護する防水キャップなどを必要としており、防水のための構成が複雑で高価になるという問題がある。
【０００８】
この発明の目的は、構成簡単で安価に製造でき、また接続工事、ヒューズの交換工事等を容易に行い得るようにした地中埋設形低圧分岐装置等を提供することにある。
【課題を解決するための手段】
【０００９】
この発明の概念は、
低圧地中配電線路の幹線および分岐引込線の接続を地中埋設箱に収納して行う地中埋設形低圧分岐装置であって、
内部がＵ相、Ｖ相、Ｗ相およびＯ相の収容部に仕切られた箱状の本体部と、該本体部の開口部を上部から覆って閉塞する箱状の防水ドームを兼ねた蓋部とからなり、
上記各相の収容部に、上記幹線および上記分岐引込線を接続するための、当該各相に対応したブスバーがそれぞれ収容され、
上記本体部の底面には、上記幹線および上記分岐引込線を通すための貫通部が設けられ、
上記蓋部と上記本体部の開口部端とが当接する部分に防水用緩衝部材が設けられている
ことを特徴とする地中埋設形低圧分岐装置にある。
【００１０】
また、この発明の他の概念は、
上記低圧分岐装置が配置される地中埋設箱であって、
上記低圧分岐装置を載置するための支持部材が上部側面に取り付けられている
ことを特徴とする地中埋設箱にある。
【００１１】
この発明において、地中埋設形低圧分岐装置は、箱状の本体部と、この本体部の開口部を上部から覆って閉塞する箱状の防水ドームを兼ねた蓋部とからなっている。蓋部の、本体部の開口部端と当接する部分にゴムパッキン等の防水用緩衝部材が設けられる。そのため、本体部の開口部を蓋部で覆って閉塞した状態では、本体部と蓋部との重なりが十分にあり、内部は密閉状態となる。
【００１２】
この地中埋設形低圧分岐装置では、本体部にブスバーが収容されており、また本体部の底面に幹線および分岐引込線を通すための貫通部が設けられている。そのため、この地中埋設形低圧分岐装置の内部で、低圧地中配電線路の幹線および分岐引込線の接続が行われる。
【００１３】
この地中埋設形低圧分岐装置では、密閉された内部で幹線および分岐引込線の接続が行われるものであり、接続部分を浸水から保護する構成は不要となることから簡単な構成となり、しかも安価に製造できる。また、蓋部を本体部から取り外すことで、幹線および分岐引込線の接続工事、ヒューズの交換工事等を容易に行うことができる。
【００１４】
例えば、本体部の底面に設けられた各貫通部に対応して、外部に突出しかつ先細形状の台形筒状突出部が、底面と一体的に形成される。この場合、各貫通部を通すケーブルの径に応じた径部分で筒部を開口切断して、防水用テープで防水処理することで内部への浸水を良好に防止でき、ケーブルの選択の自由度を高めることができる。
【００１５】
また例えば、本体部の内部は、Ｕ相、Ｖ相、Ｗ相およびＯ相の収容部に仕切られ、各相の収容部に、それぞれの相に対応したブスバーが収容される。これにより、各相の絶縁を良好に行うことができる。
【００１６】
この地中埋設形低圧分岐装置は、地中埋設箱、例えばハンドホール内に配置されて使用される。地中埋設箱の側面上部には、地中埋設形低圧分岐装置を支持する支持部材が取り付けられている。上述の地中埋設形低圧分岐装置は、この支持部材に支持されることで、地中埋設箱の上部に配置される。そのため、この地中埋設形低圧分岐装置を地中埋設箱から地上に取り出して、幹線と分岐引込線の接続工事、ヒューズの取り換え工事を行うことができ、作業性を向上できる。
【発明の効果】
【００１７】
この発明によれば、箱状の本体部および防水ドームを兼ねた箱状の蓋部からなっており、本体部に幹線および分岐引込線を接続するためのブスバーが収容されると共に、この本体部の底面に当該幹線および分岐引込線を通すための貫通部が設けられ、本体部の開口部端と接触する蓋部の部分に防水用緩衝部材が設けられた構成とするものであり、構成簡単で安価に製造でき、また接続工事、ヒューズの交換工事等を容易に行うことができる。更に、本体部の内部において各相の絶縁を良好に行うことができ、また各相を整然と接続できるので保守点検も容易である。
【発明を実施するための最良の形態】
【００１８】
以下、図面を参照しながら、この発明の実施の形態について説明する。図１、図２は、実施の形態としての地中埋設形低圧分岐装置１００の構成を示している。図１は、地中埋設形低圧分岐装置１００の正面側から見た、要部を断面とした図である。図２は、地中埋設形低圧分岐装置１００の側面側から見た図である。この地中埋設形低圧分岐装置１００は、２引込用の地中埋設形低圧分岐装置、すなわち２つの電灯と動力の低圧負荷に対して同時引込が可能な地中埋設形低圧分岐装置である。
【００１９】
この地中埋設形低圧分岐装置１００は、本体部としての四角箱状のベース部材１０２と、このベース部材１０２の開口部を上部から覆って閉塞する、蓋部としての四角箱状の防水ドームを兼ねた上蓋１０３とからなっている。この場合、上蓋１０３がベース部材１０２に被せられた状態では、ベース部材１０２と上蓋１０３との重なりが十分にあるものとなる。これらベース部材１０２および上蓋１０３は、絶縁材料、例えば合成樹脂の成型加工により形成されている。
【００２０】
ベース部材１０２の詳細を説明する。図３はベース部材１０２の斜視図、図４はベース部材１０２の上面図、図５はベース部材１０２の正面図、図６はベース部材１０２の側面図である。
【００２１】
このベース部材１０２には、低圧地中配電線路の幹線および分岐引込線を接続するための例えば銅製の板状のブスバー１０４が収容される。このベース部材１０２の内部は、長手方向と直交する方向に、仕切り１０５によって仕切られ、Ｕ相、Ｖ相、Ｗ相、Ｏ相の４つの収容部１０６ｕ，１０６ｖ，１０６ｗ，１０６ｏが形成されている。これら収容部１０６ｕ，１０６ｖ，１０６ｗ，１０６ｏに、それぞれ、Ｕ相、Ｖ相、Ｗ相、Ｏ相にそれぞれ対応したブスバー１０４が収容される。
【００２２】
また、収容部１０６ｕ，１０６ｖ，１０６ｗ，１０６ｏは、それぞれ、長手方向に仕切り１０７で仕切られ、３つの小収容部１０６ａ，１０６ｂ，１０６ｃが形成されている。仕切り１０７にはブスバー１０４の側端を嵌め込むための切欠１０８が形成されており、収容部１０６ｕ，１０６ｖ，１０６ｗ，１０６ｏのそれぞれに収容されるブスバー１０４が、それぞれ、３つの小収容部１０６ａ，１０６ｂ，１０６ｃに跨って収容されるようになされている。
【００２３】
このベース部材１０２の底面の周囲には、鍔部１０９が、底面と一体的に形成されている。この鍔部１０９には、ベース部材１０２に上蓋１０３を被せたとき、この鍔部１０９に、この上蓋１０３の開口端が当接される。この鍔部１０９の長手方向の両端には、ベース部材１０２に被せられた上蓋１０３の後述するフックを係止するための凸部１１０が形成されている。
【００２４】
このベース部材１０２の底面には、図４に示すように、幹線および分岐引込線を通すための貫通部１１１ａ〜１１１ｆが設けられている。ここで、幹線は三相４線式で配線されており、Ｕ相、Ｖ相、Ｗ相、Ｏ相の４つの収容部１０６ｕ，１０６ｖ，１０６ｗ，１０６ｏの小収容部１０６ｂに対応して、それぞれ、２つの貫通部１１１ａ，１１１ｂが設けられている。この場合、貫通部１１１ａは電源側の幹線ケーブルを通すために用いられ、貫通部１１１ｂは負荷側の幹線ケーブルを通すために用いられる。
【００２５】
また、Ｕ相、Ｖ相の収容部１０６ｕ，１０６ｖの小収容部１０６ａに対応して、それぞれ、２つの貫通部１１１ｃ，１１１ｄが設けられ、このＵ相、Ｖ相の収容部１０６ｕ，１０６ｖの小収容部１０６ｃに対応して、それぞれ、２つの貫通部１１１ｅ，１１１ｆが設けられている。また、Ｗ相の収容部１０６ｗの小収容部１０６ａに対応して１つの貫通部１１１ｃが設けられ、このＷ相の収容部１０６ｗの小収容部１０６ｃに対応して１つの貫通部１１１ｆが設けられている。さらに、Ｏ相の収容部１０６ｏの小収容部１０６ａに対応して１つの貫通部１１１ｄが設けられ、このＯ相の収容部１０６ｏの小収容部１０６ｃに対応して１つの貫通部１１１ｅが設けられている。
【００２６】
Ｕ相、Ｖ相、Ｗ相の３つの収容部１０６ｕ，１０６ｖ，１０６ｗの小収容部１０６ａに設けられている３つの貫通部１１１ｃ，１１１ｃ，１１１ｃは、動力負荷（三相負荷）のための分岐引込線ケーブルを通すために用いられ、Ｕ相、Ｖ相、Ｏ相の３つの収容部１０６ｕ，１０６ｖ，１０６ｏの小収容部１０６ａに設けられている３つの貫通部１１１ｄ，１１１ｄ，１１１ｄは、電灯負荷（単相負荷）のための分岐引込線ケーブルを通すために用いられる。
【００２７】
また、Ｕ相、Ｖ相、Ｗ相の３つの収容部１０６ｕ，１０６ｖ，１０６ｗの小収容部１０６ｃに設けられている３つの貫通部１１１ｆ，１１１ｆ，１１１ｆは、動力負荷（三相負荷）のための分岐引込線ケーブルを通すために用いられ、Ｕ相、Ｖ相、Ｏ相の３つの収容部１０６ｕ，１０６ｖ，１０６ｏの小収容部１０６ｃに設けられている３つの貫通部１１１ｅ，１１１ｅ，１１１ｅは、電灯負荷（単相負荷）のための分岐引込線ケーブルを通すために用いられる。
【００２８】
このベース部材１０２の底面には、貫通部１１１ａ〜１１１ｆのそれぞれに対応して、外部に突出しかつ先細形状の台形筒状突出部１１２が底面と一体的に形成されている。この実施の形態では、台形筒状突出部１１２は階段状に先細とされている。使用前の状態では、この台形筒状突出部１１２の先端は閉じた状態におかれ、ケーブルを通す際に、そのケーブルの径に応じた径部分で台形筒状突出部１１２が開口切断されて、防水用テープで防水処理される。これにより、貫通部１１１ａ〜１１１ｆから内部への浸水を良好に防止でき、しかも種々の径のケーブルを使用でき、ケーブルの選択の自由度を高めることができる。
【００２９】
次に、上蓋１０３について説明する。図７は上蓋１０３の斜視図、図８は上蓋１０３の上面図、図９は上蓋１０３の正面図、図１０は上蓋１０３の側面図である。
【００３０】
この上蓋１０３の長手方向の両端には、開口部端側に、係止用フック１１５が形成されている。上述したベース部材１０２に上蓋１０３を被せるとき、この係止用フック１１５をその弾性を利用して変形させ、ベース部材１０２の凸部１１０に係止させる。これにより、ベース部材１０２に上蓋１０３が被せられた状態で固定される。なお、上蓋１０３の係止用フック１１５を弾性変形させてベース部材１０３の凸部１１０との係止状態を解除することで、ベース部材１０２から上蓋１０３を取り外すことができる。
【００３１】
この上蓋１０３の、ベース部材１０２の開口部端と当接する部分に、図１に示すように、防水用緩衝部材、例えばゴムパッキン１１６が設けられる。これにより、この上蓋１０３が上述したベース部材１０２に被せられるとき、ベース部材１０２の開口部端がゴムパッキン１１６に当接した状態となるため、内部への浸水を良好に防止できる。
【００３２】
図１１はベース部材１０２に上蓋１０３を被せた状態を示す斜視図、図１２はベース部材１０２に上蓋１０３を被せた状態を示す正面図、図１３はベース部材１０２に上蓋１０３を被せた状態を示す側面図である。
【００３３】
上述した地中埋設形低圧分岐装置１００を使用する場合には、まず、ベース部材１０２から上蓋１０３を取り外した状態で、幹線ケーブルおよび分岐引込線ケーブルの接続が行われる。図１４は、配線例を示している。
【００３４】
Ｕ相、Ｖ相、Ｗ相、Ｏ相の４つの収容部１０６ｕ，１０６ｖ，１０６ｗ，１０６ｏにそれぞれ収容されているブスバー１０４に、それぞれ、電源側の幹線ケーブル１１３Ｐおよび負荷側の幹線ケーブル１１３Ｌが接続される。電源側の幹線ケーブル１１３Ｐは貫通部１１１ａを通じてベース部材１０２の内部に導入され、また負荷側の幹線ケーブル１１３Ｌは貫通部１１１ｂを通じてベース部材１０２の内部に導入される。この場合、貫通部１１１ａ，１１１ｂに対応して形成されている台形筒状突出部１１２は、幹線ケーブル１１３Ｐ，１１３Ｌの径に応じた径部分で開口切断されて、防水用テープで防水処理される。
【００３５】
また、Ｕ相、Ｖ相、Ｏ相の３つの収容部１０６ｕ，１０６ｖ，１０６ｏにそれぞれ収容されているブスバー１０４に電灯負荷のための分岐引込線ケーブル１１４Ａが接続される。収容部１０６ｕ，１０６ｖに収容されているブスバー１０４には、それぞれ、ヒューズ１１７を介して、分岐引込線ケーブル１１４Ａが接続される。分岐引込線ケーブル１１４Ａは貫通部１１１ｄを通じてベース部材１０２の内部に導入される。この場合、貫通部１１１ｄに対応して形成されている台形筒状突出部１１２は、分岐引込線ケーブル１１４Ａの径に応じた径部分で開口切断されて、防水用テープで防水処理される。
【００３６】
また、Ｕ相、Ｖ相、Ｗ相の３つの収容部１０６ｕ，１０６ｖ，１０６ｗにそれぞれ収容されているブスバー１０４に動力負荷のための分岐引込線ケーブル１１４Ｂが接続される。各ブスバー１０４には、それぞれ、ヒューズ１１８を介して、分岐引込線ケーブル１１４Ｂが接続される。分岐引込線ケーブル１１４Ｂは貫通部１１１ｆを通じてベース部材１０２の内部に導入される。この場合、貫通部１１１ｆに対応して形成されている台形筒状突出部１１２は、分岐引込線ケーブル１１４Ｂの径に応じた径部分で開口切断されて、防水用テープで防水処理される。
【００３７】
なお、図１の断面部分は図１４のａ−ａ′線の位置で切断した状態を示しており、また図１には、図面の簡単化のため、収容部１０６ｕに収容されているブスバー１０４に対する接続状態のみを示している。
【００３８】
上述したようにベース部材１０２に収容された各ブスバー１０４に幹線ケーブル１１３Ｐ，１１３Ｌおよび分岐引込線ケーブル１１４Ａ，１１４Ｂが接続された後に、このベース部材１０２に上蓋１０３が被せられる。この場合、上蓋１０３の係止用フック１１５がベース部材１０２の凸部１１０に係止され、上蓋１０３はベース部材１０２に被せられた状態で当該ベース部材１０２に固定される。
【００３９】
上述した地中埋設形低圧分岐装置１００は、図１に示すように、地中１２０に埋設されたハンドホール本体２０１内に配置されて使用される。
【００４０】
このハンドホール本体２０１には、側面２０１Ｓの上部に、地中埋設形低圧分岐装置１００を支持する支持部材としての支持金具２０２が取り付けられている。地中埋設形低圧分岐装置１００は、この支持金具２０２の上に着脱自在に支持される。なお、ハンドホール本体２０１の上部の開口部端には蓋枠２０３が固定され、この蓋枠２０３にハンドホール上蓋２０４が載置される。
【００４１】
なお、上述したように幹線ケーブルおよび分岐引込線ケーブルの接続を行う場合、あるいはヒューズの取り換えを行う場合には、例えば図１５に示すように、地中埋設形低圧分岐装置１００をハンドホール本体２０１の上部から取り出して、この地中埋設形低圧分岐装置１００を作業台２１０に載せて作業を行うことができる。これにより、十分な作業空間を確保でき、ケーブル接続等の工事を容易に行うことができる。この場合には、各ケーブルには、地中埋設形低圧分岐装置１００をハンドホール本体２０１から取り出すことができるだけの余長を持たせることが必要となる。
【００４２】
図１６は、上述した地中埋設形低圧分岐装置１００を使用した地中低圧配電線の系統図を示している。変圧器２２１で変圧した低圧電気は、低圧地中配電線路の幹線２２２からハンドホール本体２０１に配置された地中埋設形低圧分岐装置１００を通して、各低圧負荷設備に供給される。
【００４３】
上述した地中埋設形低圧分岐装置１００によれば、上蓋１０３がベース部材１０２に被せられるとき、ベース部材１０２と上蓋との重なりが十分にあり、またベース部材１０２の開口部端が上蓋１０３に設けられたゴムパッキン１１６に当接した状態となり、内部への浸水が防止されている。また、上蓋１０３を箱状としたことで、この上蓋１０３は防水ドームの機能を兼ね備えており、冠水時には空気だまりが形成され、内部への浸水が防止される。したがって、幹線および分岐引込線は密閉された内部で接続が行われるものであり、接続部分を浸水から保護する構成は不要となり、また従来の低圧分岐装置用ヒューズを用いることができ、簡単な構成で、かつ安価に製造できる。
【００４４】
また、この地中埋設形低圧分岐装置１００によれば、ベース部材１０２から上蓋１０３を取り外すことで、ベース部材１０２の内部、つまりケーブルの接続部分を簡単に露出させることができる。したがって、幹線ケーブルおよび分岐引込線ケーブルの接続工事、またヒューズの交換工事、さらには接続の確認等を容易に行うことができる。
【００４５】
また、この地中埋設形低圧分岐装置１００によれば、ベース部材１０２の内部が、仕切り１０５により、Ｕ相、Ｖ相、Ｗ相、Ｏ相の４つの収容部１０６ｕ，１０６ｖ，１０６ｗ，１０６ｏに仕切られ、それぞれに、Ｕ相、Ｖ相、Ｗ相、Ｏ相にそれぞれ対応したブスバー１０４が収容されるものであり、ベース部材１０２の内部において各相の絶縁を良好に行うことができ、また各相を整然と接続できるので保守点検も容易である。
【００４６】
また、この地中埋設形低圧分岐装置１００によれば、ベース部材１０２の底面には、貫通部１１１ａ〜１１１ｆのそれぞれに対応して、外部に突出しかつ先細形状の台形筒状突出部１１２が底面と一体的に形成され、使用前の状態では、この台形筒状突出部１１２の先端は閉じた状態におかれ、ケーブルを通す際に、そのケーブルの径に応じた径部分で台形筒状突出部１１２が開口切断されて、防水用テープで防水処理され、内部への浸水が防止されている。したがって、太さを異にする種々のケーブルを使用でき、ケーブルの選択の自由度を高めることができる。
【００４７】
また、ハンドホール本端２０１の側面２０１Ｓの上部に支持金具２０２が取り付けられ、地中埋設形低圧分岐装置１００は、ハンドホール本体２０１内に配置される際、この支持金具２０２でハンドホール本体２０１の上部に支持される。したがって、この地中埋設形低圧分岐装置１００をハンドホール本体２０１から地上に取り出して、幹線と分岐引込線の接続工事、ヒューズの取り換え工事等を行うことができ、作業性を向上できる。
【００４８】
また、地中埋設形低圧分岐装置１００がハンドホール本体２０１の上部に支持されるので、これら落下防止柵を兼ねるため、作業の安全性も向上する。
【００４９】
なお、上述実施の形態においては、２つの電灯と動力の低圧負荷に対して同時引込が可能な２引込用の地中埋設形低圧分岐装置１００を示したものであるが、電灯と動力の複合負荷にＣＶＱ（４芯）ケーブル等で１引込とすることもできる。この発明はさらに多くの引き込みができる地中埋設形低圧分岐装置にも同様に適用できる。
【００５０】
また、上述実施の形態においては、地中埋設箱としてハンドホールの例を挙げたものであるが、この発明はその他の地中埋設箱、例えばマンホールなどに地中埋設形低圧分岐装置を配置するものにも同様に適用できる。
【産業上の利用可能性】
【００５１】
この発明は、構成簡単で安価に製造でき、また接続工事、ヒューズの交換工事等を容易に行うことができるものであり、例えばハンドホール内に配置されて使用される地中埋設形低圧分岐装置などに適用できる。
【図面の簡単な説明】
【００５２】
【図１】実施の形態としての地中埋設形低圧分岐装置の正面側から見た要部を断面とした図である。
【図２】実施の形態としての地中埋設形低圧分岐装置の側面側から見た図である。
【図３】ベース部材の斜視図である。
【図４】ベース部材の上面図である。
【図５】ベース部材の正面図である。
【図６】ベース部材の側面図である。
【図７】上蓋の斜視図である。
【図８】上蓋の上面図である。
【図９】上蓋の正面図である。
【図１０】上蓋の側面図である。
【図１１】ベース部材に上蓋を被せた状態を示す斜視図である。
【図１２】ベース部材に上蓋を被せた状態を示す正面図である。
【図１３】ベース部材に上蓋を被せた状態を示す側面図である。
【図１４】幹線ケーブルおよび分岐引込線ケーブルの配線例を示す図である。
【図１５】幹線ケーブルおよび分岐引込線ケーブルの接続工事等の作業例を示す図である。
【図１６】地中埋設形低圧分岐装置を使用した地中低圧配電線の系統図である。
【符号の説明】
【００５３】
１００・・・地中埋設形低圧分岐装置、１０２・・・ベース部材、１０３・・・上蓋、１０４・・・ブスバー、１０５，１０７・・・仕切り、１０６ｕ，１０６ｖ，１０６ｗ，１０６ｏ・・・収容部、１０６ａ，１０６ｂ，１０６ｃ・・・小収容部、１０８・・・切欠、１０９・・・鍔部、１１０・・・凸部、１１１ａ〜１１１ｆ・・・貫通部、１１２・・・台形筒状突出部、１１３Ｐ・・・電源側の幹線ケーブル、１１３Ｌ・・・負荷側の幹線ケーブル、１１４Ａ・・・電灯負荷用の分岐引込線ケーブル、１１４Ｂ・・・動力負荷用の分岐引込線ケーブル、１１５・・・係止用フック、１１６・・・ゴムパッキン、１１７，１１８・・・ヒューズ、１２０・・・地中、２０１・・・ハンドホール本体、２０１Ｓ・・・側面、２０２・・・支持金具、２０３・・・蓋枠、２０４・・・ハンドホール上蓋、２１０・・・作業台、２２１・・・変圧器、２２２・・・幹線
【図１】
0004587899.tif 000002
【図２】
0004587899.tif 000003
【図３】
0004587899.tif 000004
【図４】
0004587899.tif 000005
【図５】
0004587899.tif 000006
【図６】
0004587899.tif 000007
【図７】
0004587899.tif 000008
【図８】
0004587899.tif 000009
【図９】
0004587899.tif 000010
【図１０】
0004587899.tif 000011
【図１１】
0004587899.tif 000012
【図１２】
0004587899.tif 000013
【図１３】
0004587899.tif 000014
【図１４】
0004587899.tif 000015
【図１５】
0004587899.tif 000016
【図１６】
0004587899.tif 000017